(57)【特許請求の範囲】
【請求項１】
厨房家具における調理用の加熱装置の上方近傍に配置され、料理により生じる煙、蒸気その他のもの（以下、単に煙という）を外部に排出する厨房用レンジフードであって、
水平状形態で配置され、煙を吸引する吸引部が形成された本体と、その本体の上面から上側に延び、内部に排煙通路を備えて天井面又は壁面に接続されて煙を外部へ排出するダクト部と、を備え、
前記本体は、水平状かつ矩形状の外縁４辺のすべてが壁から離間して空間に島状に配置された上板部と、その上板部の矩形状の外縁４辺から内側に入り込んだ位置を上端として下側に形成された側板部と、その側板部の下端より内方側で前記上板部と平行に水平状形態で位置する矩形状の下板部と、を備えて全体が扁平状に形成され、
前記側板部は、前記上板部の外縁４辺から一定量内側に入り込んだ、外縁に平行な矩形状の４辺に沿う位置を上端として、下側に向かうほど内方側へ入り込むように傾斜して下方へ突出する傾斜板部を備え、その傾斜板部の傾斜する面に多数の開口からなる前記吸引部が形成され、
矩形状の環状形態をなす前記傾斜板部から水平状に外側へはみ出す、前記上板部の外縁４辺までのフランジ状の部分が煙上昇抑制部とされ、
矩形状の前記下板部から矩形状かつ環状に連なる前記傾斜板部に沿って前記煙上昇抑制部に拡散する煙は、前記煙上昇抑制部によって上方への移動が抑制され、
前記傾斜板部に形成された前記吸引部は４方へ開放され、前記煙上昇抑制部で抑制された煙は、前記傾斜板部の４方の全周から前記吸引部で吸引可能とされることを特徴とする厨房用レンジフード。
【請求項２】
前記傾斜板部の矩形状の下端部から内側へ水平状に入り込んだ前記下板部における位置で、各辺が前記傾斜板部の矩形状の各辺と平行に、環状かつ矩形状に形成されたスリット形態の下面吸引部を備え、
前記上板部の外縁４辺の第１矩形形態と、環状に連なる前記傾斜板部の第２矩形形態と、前記下板部の領域に形成された環状の前記下面吸引部の第３矩形形態とが、この順で順次小さくなるように構成され、
上昇する煙が前記下板部の前記下面吸引部で吸引され、そこで吸引されることなく前記傾斜板部の側へ拡散した煙が、前記煙上昇抑制部で上昇を抑制されつつその傾斜板部の傾斜した前記吸引部で吸引されることを特徴とする請求項１に記載の厨房用レンジフード。
【請求項３】
前記下板部における環状かつ矩形状のスリット形態の前記下面吸引部の内側の領域では、前記下板部が取り外し可能とされ、
前記上板部と前記下板部との間には、前記下面吸引部と前記傾斜板部の傾斜した前記吸引部とで吸引された煙が内部で互いに連通する吸引空間が形成され、
前記下板部の一部が前記吸引空間を下側から被うように、前記本体から取り外し可能なメンテナンス用の着脱プレートとされ、矩形状かつスリット形態の前記下面吸引部がこの着脱プレートの外縁に沿って形成される請求項１又は２に記載の厨房用レンジフード。
【請求項４】
前記下板部には、下方を照射する照明用の光源が下向きに配置され、その下板部が煙を側方に拡散させる誘導板と前記光源を取り付ける支持板とを兼ねる請求項１ないし３のいずれか１項に記載の厨房用レンジフード。
【発明の詳細な説明】
【技術分野】
【０００１】
本発明は、厨房等において使用されるレンジフードに関するものである。
【背景技術】
【０００２】
厨房等に設置されるレンジフードは、コンロ等の調理器具や調理中の食材から発せられる煙、蒸気、油その他のもの（以下、単に煙という）を吸引してこれを外部に排出する機能を有している。レンジフードとして、例えば特許文献１に開示される技術が存している。
【０００３】
レンジフードを長期間に亘って使用すると、煙で汚れてしまう。このため、従来のレンジフードは、意匠性や美感についてあまり考慮されていない。また、レンジフードは加熱装置の直上方に配置されるため、天井に配置されているライトからの照明を遮ってしまう。この結果、加熱装置の部分が暗くなってしまう。
【特許文献１】特開平５−３４６２５１号公報
【発明の開示】
【発明が解決しようとする課題】
【０００４】
本発明は、上記した事情に鑑み、レンジフードの排煙機能を高めるとともに、意匠性や美感に優れた斬新なレンジフードを提供することを課題としている。
【課題を解決するための手段及び効果】
【０００５】
上記課題を解決するための本発明は、
厨房家具における調理用の加熱装置の上方近傍に配置され、料理により生じる煙、蒸気その他のもの（以下、単に煙という）を外部へ排出する厨房用レンジフードであって、
水平状形態で配置され、煙を吸引する吸引部が形成された本体と、その本体の上面から上側に延び、内部に排煙通路を備えて天井面又は壁面に接続されて煙を外部へ排出するダクト部と、を備え、
前記本体は、水平状かつ矩形状の外縁４辺のすべてが壁から離間して空間に島状に配置された上板部と、その上板部の矩形状の外縁４辺から内側に入り込んだ位置を上端として下側に形成された側板部と、その側板部の下端より内方側で前記上板部と平行に水平状形態で位置する矩形状の下板部と、を備えて全体が扁平状に形成され、
前記側板部は、前記上板部の外縁４辺から一定量内側に入り込んだ、外縁に平行な矩形状の４辺に沿う位置を上端として、下側に向かうほど内方側へ入り込むように傾斜して下方へ突出する傾斜板部を備え、その傾斜板部の傾斜する面に多数の開口からなる前記吸引部が形成され、
矩形状の環状形態をなす前記傾斜板部から水平状に外側へはみ出す、前記上板部の外縁４辺までのフランジ状の部分が煙上昇抑制部とされ、
矩形状の前記下板部から矩形状かつ環状に連なる前記傾斜板部に沿って前記煙上昇抑制部に拡散する煙は、前記煙上昇抑制部によって上方への移動が抑制され、
前記傾斜板部に形成された前記吸引部は４方へ開放され、前記煙上昇抑制部で抑制された煙は、前記傾斜板部の４方の全周から前記吸引部で吸引可能とされることを特徴としている。
【０００６】
本発明に係る厨房用レンジフードは、扁平状の本体と、煙を外部に排出するダクト部とを備えている。そして、本体には、煙を吸引する吸引部が形成されている。料理により生じ、レンジフードの本体の直下に上ってきた煙は、本体に設けられた吸引部に吸引されて捕集され、ダクト部の排煙通路を通って外部に排出される。本体が扁平状なので、レンジフード全体のデザインを、従来にない斬新なものとすることができる。
【０００８】
また、本体の上板部が、側板部を介して下方に設けられた下板部よりも外方に突き出て、当該突き出たフランジ状部分に煙上昇抑制部が形成されている。このため、下方から上ってきた煙は、下板部に当たった後、側方に広がるように拡散されて煙上昇抑制部に至る。煙上昇抑制部に至った煙は、それ以上上昇することが抑制されるとともに、側板部の吸引部によって吸引される。これにより、煙がレンジフードを超えて天井に至ることが抑止され、天井を汚してしまうことが防止される。
【００１０】
側板部は、その下側が上板部の内方側に入り込むように傾斜させている。このため、下方から上ってくる煙は、傾斜板部の傾斜面をなめるようにして流動するので、吸引部により捕集される煙の量を多くすることができる。また、煙上昇抑制部に至った煙は、この部分で巻き込まれるように誘導されるため、煙を吸引する効果も高まる。
【００１１】
また、前記傾斜板部の矩形状の下端部から内側へ水平状に入り込んだ前記下板部における位置で、各辺が前記傾斜板部の矩形状の各辺と平行に、環状かつ矩形状に形成されたスリット形態の下面吸引部を備え、
前記上板部の外縁４辺の第１矩形形態と、環状に連なる前記傾斜板部の第２矩形形態と、前記下板部の領域に形成された環状の前記下面吸引部の第３矩形形態とが、この順で順次小さくなるように構成され、
上昇する煙が前記下板部の前記下面吸引部で吸引され、そこで吸引されることなく前記傾斜板部の側へ拡散した煙が、前記煙上昇抑制部で上昇を抑制されつつその傾斜板部の傾斜した前記吸引部から吸引されるようにしてもよい。
【００１２】
下板部の外縁近傍に、下面吸引部（第１の吸引部、スリット等）を設ける。下方から上ってきた煙を、最初に下面吸引部に案内させることにより捕集する。下面吸引部で捕集されなかった煙は、下板部の側方に広がるように拡散され、傾斜板部の吸引部（第２の吸引部）で再度捕集される。即ち、煙を２段階で捕集するため、煙の捕集効率が良好である。
【００１３】
前記下板部には、下方を照射する照明用の光源が下向きに配置され、その下板部が煙を側方に拡散させる誘導板と光源を取り付ける支持板とを兼ねるようにしてもよい。
【００１４】
これにより、下板部に取り付けられた光源により、レンジフードの直下の部分を照明することができる。また、下板部の意匠性を向上させることができる。
【発明を実施するための最良の形態】
【００１５】
本発明の実施例を説明する。図１は第１実施例のレンジフード１０１が取り付けられた厨房の全体図、図２はレンジフード１０１の正面半断面図、図３は同じく底面図である。
【実施例１】
【００１６】
最初に、第１実施例のレンジフード１０１の全体構成について説明する。図１に示されるように、厨房に加熱装置１が組み込まれたシステムキッチン２（厨房家具）が設置されている。そして、加熱装置１の直上方にレンジフード１０１が取り付けられている。このレンジフード１０１は、加熱装置１や調理中の食材（図示せず）等から発せられる煙３を吸引して屋外に排出するという機能を有している。本実施例のレンジフード１０１は、扁平状をなす本体４とダクト部５とを備えている。このダクト部５は円筒状であり、その内部には、吸引した煙３を屋外に排出するためのシロッコファン６（図２参照）が内装されている。ダクト部５の上端部は、天井７に固定されており、同じく下端部は、本体４を水平に吊下げ支持している。
【００１７】
レンジフード１０１の本体４について説明する。図２ないし図４に示されるように、レンジフード１０１の本体４は、取付け状態で水平に配置される長方形状の上板部８と、上板部８の外縁から横方向（長手方向）に所定長さＬ１ａ、縦方向に所定長さＬ１ｂだけ内方側に入り込んだ位置を上端として下側に延設される側板部（本実施例のレンジフード１０１の場合、この側板部は、下側に向かうほど上板部８の更に内方側へ入り込むように全面的に傾斜する傾斜板部９（内方傾斜部）となっている）と、傾斜板部９の下端より内方側に水平に配置される長方形リング状の下板部１１とを備えている。このため、レンジフード１０１の底面視において、上板部８の周縁部は、下板部１１に対して略相似形状で外方側に張り出すフランジ部８ａとなっている。
【００１８】
傾斜板部９には、多数の円形の吸引孔１２（第２の吸引部）が傾斜板部９の板厚方向に貫通して設けられている。これらの吸引孔１２は、レンジフード１０１の外部と、上板部８、傾斜板部９、下板部１１及び蓋板部１３（後述）によって囲まれた空間部Ｑ１（吸引空間）とを連通させている。この空間部Ｑ１は、更にダクト部５の内部の空間部Ｑ２（排煙空間）とも連通している。シロッコファン６の作用により、レンジフード１０１の外部から吸引孔１２を通って空間部Ｑ１に吸引された煙３は、ダクト部５の空間部Ｑ２に案内されて屋外に排出される。
【００１９】
図２ないし図５に示されるように、レンジフード１０１の下板部１１において、その外縁から横方向に所定長さＬ２ａ、縦方向に所定長さＬ２ｂだけ内方側に入り込んだ部分が上方（上板部８の側）に向かってほぼ直角に折り曲げられて、屈曲部１１ａが形成されている。そして、屈曲部１１ａの上端縁部における複数の所定位置（本実施例のレンジフード１０１の場合、各辺毎に２箇所で、合計８箇所）には、屈曲部１１ａに対してほぼ直角になるように連結板部１４が固着されている。各連結板部１４は、下板部１１の辺よりも遥かに短い小板片である。このため、レンジフード１０１の底面視において、下板部１１の内周縁から各連結板部１４が突出しているように視認される（図４参照）。各連結板部１４には、ねじ１５（後述）を通すための貫通孔（ねじ孔１４ａ）が設けられている。なお、図２における矢印は、レンジフード１０１の本体の空間部Ｑ１，Ｑ２における煙３の流れを示している。
【００２０】
図３ないし図５に示されるように、レンジフード１０１の本体４の内方部分Ｖ（下板部１１によって囲まれた部分）には、蓋板部１３が取り付けられる。蓋板部１３の大きさは、下板部１１の内周縁よりも少し小さい。蓋板部１３の外周縁はほぼ直角に折り曲げられて、屈曲部１３ａが形成されている。そして、屈曲部１３ａの上端縁部における複数の所定位置（下板部１１の各連結板部１４と対応する位置）には、屈曲部１３ａに対してほぼ直角になるように連結板部１６が固着されている。蓋板部１３の各連結板部１６の大きさは、下板部１１の連結板部１４の大きさとほぼ等しい。蓋板部１３は、レンジフード１０１の本体４の下方から下板部１１の内方部分Ｖに嵌め込まれる。そして、下板部１１と蓋板部１３の連結板部１４，１６を重ね合わせて、下方からねじ１５を締め込むことによってそれらを連結する。ねじ１５を緩めることにより、レンジフード１０１の本体４から蓋板部１３を取り外すことができる。
【００２１】
図３に示されるように、レンジフード１０１の本体４の内方部分Ｖに蓋板部１３が嵌め込まれた状態で、下板部１１の屈曲部１１ａと蓋板部１３の屈曲部１３ａとの隙間には、下向きに開口する長方形リング状のスリット１７（第１の吸引部）が形成される。このスリット１７において、下板部１１の連結板部１４と蓋板部１３の連結板部１６との接合部以外の部分は、レンジフード１０１の空間部Ｑ１と連通している。このため、加熱装置１から上ってくる煙３は、スリット１７を通ってレンジフード１０１の空間部Ｑ１に侵入可能である。
【００２２】
また、蓋板部１３には、所定の間隔をおいて２個のライト１８が取り付けられている。これらのライト１８は、レンジフード１０１の下方（即ち、加熱装置１の部分）に向けて光を照射する。これにより、加熱装置１の部分が照明される。なお、図３において、１９は、シロッコファン６とライト１８を作動させるためのリモコンの受光部であり、下板部１１の一辺における横方向のほぼ中央部に設けられている。
【００２３】
本実施例のレンジフード１０１の作用について説明する。図１に示されるように、厨房に設置されたシステムキッチン２の加熱装置１の直上方にレンジフード１０１が取り付けられる。このレンジフード１０１では、ダクト部５が天井７に固着されることにより、本体４を吊下げ状態で支持している。使用者（図示せず）が加熱装置１を使用して調理を行うと、加熱装置１や調理中の食材から発生した煙３が上昇し、主にレンジフード１０１の蓋板部１３に当たる。図６に示されるように、蓋板部１３に当たった煙３は、蓋板部１３の中心から周辺（側方）に広がるように拡散され、スリット１７の直下に至る。即ち、レンジフード１０１の本体４の下面（下板部１１と蓋板部１３）は、煙３を周辺に拡散させる誘導面としての機能を有している。スリット１７の直下に至った煙３は、レンジフード１０１のダクト部５に取り付けられたシロッコファン６の作用により吸引され、スリット１７内に入り込む。そして、レンジフード１０１の空間部Ｑ１に侵入し、空間部Ｑ２を介して屋外に排出される（図２参照）。
【００２４】
スリット１７の直下の部分を超えて拡散された煙３は、更に周辺（側方）に広がるように拡散され、傾斜板部９に至る。このとき煙３は、傾斜板部９の外表面をなめる（巻き込まれる）ようにして拡散される。この煙３は、シロッコファン６の作用により、傾斜板部９に設けられた多数の吸引孔１２に吸引される。そして、レンジフード１０１の空間部Ｑ１に侵入し、上記と同様にして屋外に排出される。
【００２５】
傾斜板部９をも超えて拡散された煙３は、下板部１１の周囲に張り出した上板部８のフランジ部８ａに当たり、それ以上上昇することが阻止される。これにより、煙３がレンジフード１０１を超えて天井７に至ることが抑止され、厨房の天井７が汚れにくくなる。
【００２６】
上記したように、本実施例のレンジフード１０１では、下板部１１と蓋板部１３との間に設けられたスリット１７内に煙３を入り込ませる（捕集する）とともに、スリット１７に入らなかった煙３を、傾斜板部９の吸引孔１２に吸引させて捕集するという２段階の煙捕集構造となっている。これにより、従来のレンジフード１０１と比較して、より多くの煙３を捕集することが可能になり、厨房等の天井７等の汚れを少なくできる。
【００２７】
また、上板部８と、その下面から下方に延設して形成した下板部１１および蓋板部１３とによって囲まれた部分に空間部Ｑ１が設けられていて、シロッコファン６の作用によって吸引した煙３をこの空間部Ｑ１に集めている。この煙３は、引き続いてシロッコファン６に吸引され、空間部Ｑ２を介して屋外に排出される。これにより、レンジフード１０１の本体４（上板部８と下板部１１および蓋板部１３とで構成される部分）の厚みを薄くすることができ、レンジフード１０１の意匠を斬新なものとすることができるとともに、美感が向上する。
【００２８】
そして、煙３を捕集する部分は、下板部１１と蓋板部１３との間に設けられた長方形リング状のスリット１７と、上板部８と下板部１１との接合部（傾斜板部９）に設けられた多数の吸引孔１２である。これにより、蓋板部１３の下面をすっきりとしたものとすることができ、この部分を意匠面としたり、ライト１８を取り付けたりすることができる。
【００２９】
更に、下板部１１に取り付けられる蓋板部１３は、下板部１１に対してねじ１５によって後付けされる。蓋板部１３を取り外すことにより、シロッコファン６のメンテナンスや蓋板部１３の清掃を行うことができる。また、各種の蓋板部１３を用意しておくことにより、厨房のインテリアデザインに合わせて蓋板部１３の模様や色を選択したり、ライト１８の数や配置を変化させたりすることができる。
【００３０】
第１実施例のレンジフード１０１では、上板部８と下板部１１との接合部（側板部）の全体を傾斜面（傾斜板部９）としている。しかし、図７に示されるように、この側板部における一部を傾斜面とする形態（換言すれば、側板部の一部に垂直面部２１が設けられている形態）であってもよい。
【実施例２】
【００３１】
レンジフード１０１における上板部８の大きさは、レンジフード１０１が設置される厨房の広さや、シロッコファン６の大小に応じて、各種のものとすることができる。例えば、図８に示される第２実施例のレンジフード１０２のように、平面形状を正方形に近いものとしてもよい。
【実施例３】
【００３２】
また、第１実施例のレンジフード１０１のダクト部５は円筒形状で、平面視における上板部８のほぼ中央部に立設されている（センターフード）。しかし、図９に示される第３実施例のレンジフード１０３のように、断面Ｕ字状のダクト部２２１として、ダクト部２１の背面開口部２１ａを厨房の壁面に取り付け、上面開口部２１ｂを厨房の天井に取り付ける形態（壁付けフード）としてもよい。
【図面の簡単な説明】
【００３３】
【図１】第１実施例のレンジフード１０１が取り付けられた厨房の全体図である。
【図２】レンジフード１０１の正面半断面図である。
【図３】同じく底面図である。
【図４】蓋板部１３を取り外した状態のレンジフード１０１の底面図である。
【図５】レンジフード１０１の本体４から蓋板部１３を分離した状態の拡大断面図である。
【図６】レンジフード１０１の作用説明図である。
【図７】垂直面部２１が設けられた傾斜板部９の部分拡大図である。
【図８】第２実施例のレンジフード１０２の底面図である。
【図９】（ａ）は第３実施例のレンジフード１０３の平面図、（ｂ）は同じく側面図である。
【符号の説明】
【００３４】
１０１〜１０３  レンジフード
１  加熱装置
２  システムキッチン（厨房家具）
３  煙
４  本体
５，２１  ダクト部
７  天井
８  上板部
８ａ  フランジ部（煙上昇抑制部）
９  傾斜板部（側板部、内方傾斜部）
１１  下板部
１２  吸引孔（吸引部、第２の吸引部）
１３  蓋板部（下板部）
１７  スリット（第１の吸引部）
１８  ライト（光源）
Ｑ１  空間部（吸引空間）
Ｑ２  空間部（排煙通路）
Ｌ１ａ，Ｌ１ｂ，Ｌ２ａ，Ｌ２ｂ  所定長さ（一定量）
【図１】
0005132381.tif 000002
【図２】
0005132381.tif 000003
【図３】
0005132381.tif 000004
【図４】
0005132381.tif 000005
【図５】
0005132381.tif 000006
【図６】
0005132381.tif 000007
【図７】
0005132381.tif 000008
【図８】
0005132381.tif 000009
【図９】
0005132381.tif 000010